(57)【特許請求の範囲】
【請求項１】
定格銘板およびラベルに表示する、仕向地および製品種別毎に定められた承認種別、定格銘板およびラベルの記載事項、並びに定格銘板フォーマットおよびラベルフォーマットを記憶する仕向地仕様情報記憶手段と、機種識別子毎に製品種別、承認情報および定格情報を含む機種情報を記憶した機種情報記憶手段と、機種識別子毎に製品種別および製品固有情報を含む製品毎個別情報を記憶する製品毎個別情報記憶手段と、これらを制御するコンピュ−タとを用いた、定格銘板およびラベルの製造方法であって、
前記コンピュ−タを、製造要求を受信し、入力された機種識別子に基いてこの製品の製品種別を特定する手段として機能させる工程と、
前記コンピュ−タを、入力された前記製品の仕向地および特定された前記製品種別に基いて前記仕向地仕様情報記憶手段から承認種別を抽出する手段として機能させる工程と、
前記コンピュ−タを、前記製造要求が定格銘板であるかラベルであるかを判定する手段として機能させる工程と、
前記コンピュ−タを、製造要求が定格銘板であると判定された場合には、前記仕向地仕様情報記憶手段から定格銘板の記載事項を抽出し、前記承認種別と定格銘板の記載事項とに基いて、前記機種情報記憶手段から定格情報を抽出し、次に前記仕向地仕様情報記憶手段から抽出された定格銘板フォーマットを例示し、前記定格銘板フォーマットに従う定格銘板のレイアウトを設定し、製造要求がラベルであると判定された場合には、前記仕向地仕様情報記憶手段からラベルの記載事項を抽出し、次に前記承認種別とラベルの記載事項とに基いて、前記製品毎個別情報記憶手段から製品毎個別情報を抽出し、次に前記仕向地仕様情報記憶手段から抽出されたラベルフォーマットを例示し、前記ラベルフォーマットに従うラベルのレイアウトを設定する手段として機能させる工程とを備えたことを特徴とする定格銘板およびラベルの製造のためのレイアウト設定方法。
【請求項２】
定格銘板およびラベルに表示する、仕向地および製品種別毎に定められた承認種別、定格銘板およびラベルの記載事項、並びに定格銘板フォーマットおよびラベルフォーマットとを記憶する仕向地仕様情報記憶手段と、機種識別子毎に製品種別、承認情報および定格情報を含む機種情報を記憶した機種情報記憶手段と、機種識別子毎に製品種別および製品固有情報を含む製品毎固有情報を記憶する製品毎個別情報記憶手段とを制御するコンピュ−タに用いられ、定格銘板およびラベルを製造するためのプログラムであって、
前記コンピュ−タを、入力された機種識別子に基いてこの製品の製品種別を特定する製品種別特定手段、入力された前記製品の仕向地および特定された前記製品種別に基いて前記仕向地仕様情報記憶手段から承認種別を抽出する承認種別手段、受信した製造要求が定格銘板であるかラベルであるかを判定する判定手段として機能させ、
さらに、前記コンピュ−タを、製造要求が定格銘板であると判定された場合には、前記仕向地仕様情報記憶手段から定格銘板の記載事項を抽出し、前記承認種別と定格銘板の記載事項とに基いて、前記機種情報記憶手段から定格情報を抽出し、次に前記仕向地仕様情報記憶手段から抽出された定格銘板フォーマットを例示し、前記定格銘板フォーマットに従う定格銘板のレイアウトを設定し、製造要求がラベルであると判定された場合には、前記仕向地仕様情報記憶手段からラベルの記載事項を抽出し、前記承認種別とラベルの記載事項とに基いて、前記製品毎個別情報記憶手段から製品毎個別情報を抽出し、次に前記仕向地仕様情報記憶手段から抽出されたラベルフォーマットを例示し、前記ラベルフォーマットに従うラベルのレイアウトを設定するレイアウト設定手段として機能させることを特徴とする定格銘板およびラベルのレイアウト設定をするためのプログラム
【発明の詳細な説明】
【技術分野】
【０００１】
本発明は、定格銘板および製品毎に貼り付けるタグ、表示物一般、包装分野の外装印字等のその他ラベルの製造方法並びにその製造プログラムに関する。
【背景技術】
【０００２】
本出願人が先に開示した特開２００３−２９６３０７号公報、特開２００３−３３０３７５号公報では、定格銘板のレイアウト設定が自動化され、同一内容の銘板種類は同一となり、製造時間の短縮等が図られたが、その他のラベル（デカル）例えば安全規格等の表示に関してもそれまでの定格銘板と同様に製品設計者によって個別に設定されており、同一の製品であっても仕向地、顧客地域によって異なるものが製造されている。また、地域毎に異なる情報（サ−ビスマンコ−ル用の電話番号、販売会社名称、電話番号等）は別途印字し、張付けており工数の増加、材料費の増加等の問題がある。また、特開２００２−１３３１９４号公報に記載された技術のように、発注者所望のデザインをそのまま加飾し、短納期で納入する方法もあるが、所定記載事項と発注者所望の情報を混在して加飾する方法にはなっていない。
【特許文献１】特開２００３−２９６３０７号公報
【特許文献２】特開２００３−３３０３７５号公報
【特許文献３】特開２００２−１３３１９４号公報
【発明の開示】
【発明が解決しようとする課題】
【０００３】
しかしながら、承認を必要とする必要記載事項の他に記載されるべき製品固有の情報を製品設計者または納入地域の担当者が個別に行なうには時間がかかるばかりでなく、承認時期のずれまたは、記載事項の追加変更に対しても迅速に対応し、必要な情報を有する定格銘板およびラベルを製造することが要望されていた。
【０００４】
そこで、本発明の目的は、必要な認可マ−ク、定格情報、変動情報を有する、定格銘板およびその他ラベルを同一のシステムで製造を行なうことができる定格銘板およびラベルの製造方法並びにその製造プログラムを提供する。
【課題を解決するための手段】
【０００５】
請求項１に記載の発明は、定格銘板およびラベルに表示する、仕向地および製品種別毎に定められた承認種別、定格銘板およびラベルの記載事項、並びに定格銘板フォーマットおよびラベルフォーマットを記憶する仕向地仕様情報記憶手段と、機種識別子毎に製品種別、承認情報および定格情報を含む機種情報を記憶した機種情報記憶手段と、機種識別子毎に製品種別および製品固有情報を含む製品毎個別情報を記憶する製品毎個別情報記憶手段と、これらを制御するコンピュ−タとを用いた、定格銘板およびラベルの製造方法であって、前記コンピュ−タを、製造要求を受信し、入力された機種識別子に基いてこの製品の製品種別を特定する手段として機能させる工程と、前記コンピュ−タを、入力された前記製品の仕向地および特定された前記製品種別に基いて前記仕向地仕様情報記憶手段から承認種別を抽出する手段として機能させる工程と、前記コンピュ−タを、前記製造要求が定格銘板であるかラベルであるかを判定する手段として機能させる工程と、前記コンピュ−タを、製造要求が定格銘板であると判定された場合には、前記仕向地仕様情報記憶手段から定格銘板の記載事項を抽出し、前記承認種別と定格銘板の記載事項とに基いて、前記機種情報記憶手段から定格情報を抽出し、次に前記仕向地仕様情報記憶手段から抽出された定格銘板フォーマットを例示し、前記定格銘板フォーマットに従う定格銘板のレイアウトを設定し、製造要求がラベルであると判定された場合には、前記仕向地仕様情報記憶手段からラベルの記載事項を抽出し、次に前記承認種別とラベルの記載事項とに基いて、前記製品毎個別情報記憶手段から製品毎個別情報を抽出し、次に前記仕向地仕様情報記憶手段から抽出されたラベルフォーマットを例示し、前記ラベルフォーマットに従うラベルのレイアウトを設定する手段として機能させる工程とを備えたことを特徴とする定格銘板およびラベルの製造のためのレイアウト設定方法である。
【００１０】
請求項２に記載の発明は、定格銘板およびラベルに表示する、仕向地および製品種別毎に定められた承認種別、定格銘板およびラベルの記載事項、並びに定格銘板フォーマットおよびラベルフォーマットとを記憶する仕向地仕様情報記憶手段と、機種識別子毎に製品種別、承認情報および定格情報を含む機種情報を記憶した機種情報記憶手段と、機種識別子毎に製品種別および製品固有情報を含む製品毎固有情報を記憶する製品毎個別情報記憶手段とを制御するコンピュ−タに用いられ、定格銘板およびラベルを製造するためのプログラムであって、前記コンピュ−タを、入力された機種識別子に基いてこの製品の製品種別を特定する製品種別特定手段、入力された前記製品の仕向地および特定された前記製品種別に基いて前記仕向地仕様情報記憶手段から承認種別を抽出する承認種別手段、受信した製造要求が定格銘板であるかラベルであるかを判定する判定手段として機能させ、さらに、前記コンピュ−タを、製造要求が定格銘板であると判定された場合には、前記仕向地仕様情報記憶手段から定格銘板の記載事項を抽出し、前記承認種別と定格銘板の記載事項とに基いて、前記機種情報記憶手段から定格情報を抽出し、次に前記仕向地仕様情報記憶手段から抽出された定格銘板フォーマットを例示し、前記定格銘板フォーマットに従う定格銘板のレイアウトを設定し、製造要求がラベルであると判定された場合には、前記仕向地仕様情報記憶手段からラベルの記載事項を抽出し、前記承認種別とラベルの記載事項とに基いて、前記製品毎個別情報記憶手段から製品毎個別情報を抽出し、次に前記仕向地仕様情報記憶手段から抽出されたラベルフォーマットを例示し、前記ラベルフォーマットに従うラベルのレイアウトを設定するレイアウト設定手段として機能させることを特徴とする定格銘板およびラベルのレイアウト設定をするためのプログラムである。
【発明の効果】
【００１３】
請求項１の定格銘板およびラベルの製造のためのレイアウト設定方法または請求項２の定格銘板およびラベルのレイアウト設定をするためのプログラムによれば、機種識別子から特定される定格銘板の記載事項のみならず、他のラベルの記載事項を取得できるため、それぞれに入れるべき内容を決定できるので、必要な認可マ−ク、定格情報、変動情報を有する、定格銘板およびその他ラベルのレイアウトを同一のシステムで設定することができる。
【発明を実施するための最良の形態】
【００１８】
以下、本発明を具体化した一実施形態を図１〜図７に従って説明する。本実施形態では、仕向地及び製品毎に定められた記載事項を記載した定格銘板と、安全規格等の表示、製品毎に貼り付けられるタグ、表示物一般、外装分野の外装印字等のラベルとを製造するための定格銘板およびラベルのレイアウト設定方法およびレイアウト設定プログラムとして説明する。
【００１９】
図１に示すように、定格銘板およびラベルの製造システム２０は、ネットワークＮ１を介して、出力端末１０に接続されている。出力端末１０は、定格銘板およびラベルを出力する端末であって、定格銘板およびラベルの印刷を行うための印刷手段を備えている。この出力端末１０は、定格銘板およびラベルの製造システム２０の管理コンピュータ２１から送信される印刷データを受信して印刷を行うものである。このため、この出力端末１０は、図示しない制御手段（ＣＰＵ）、記憶手段（ＲＡＭ、ＲＯＭ、ハードディスク等）、通信手段、表示制御手段（例えば、モニタ）、入力手段を備えている。
【００２０】
定格銘板およびラベルの製造システム２０は、図１に示すように、管理コンピュータ２１を備えている。管理コンピュータ２１は、図示しない制御手段（ＣＰＵ）、記憶手段（ＲＡＭ、ＲＯＭ、ハードディスク等）、通信手段等を有するコンピュータである。この管理コンピュータ２１は、定格銘板およびラベルの製造プログラムを実行することにより、定格銘板またはラベルの製造処理を実行する。なお、この定格銘板およびラベルの製造プログラムは、各種プログラムにより構成されており、これらの各種プログラムを実行することにより、データの送受信、後述するデータの処理等を行なう。すなわち、本実施形態では、この管理コンピュータ２１が、製品種別特定手段、定格銘板の記載事項抽出手段、ラベルの記載事項抽出手段、定格銘板のレイアウト設定手段、ラベルのレイアウト設定手段等として機能する。
【００２１】
管理コンピュータ２１には、仕向地仕様情報記憶手段としての仕向地仕様データ記憶部２２、機種情報記憶手段としての機種データ記憶部２３および製品毎個別情報記憶手段としての製品毎個別データ記憶部２４が、それぞれ接続されている。
【００２２】
仕向地仕様データ記憶部２２には、図２に示すように、仕向地及び製品種別毎に仕向地仕様データ２２０が記憶されている。本実施形態では、仕向地仕様データ２２０は、仕向地識別子ａ１、製品種別ａ２、承認種別ａ３、記載事項ａ４、定格銘板フォーマットａ５及びラベルフォーマットａ６により構成されている。仕向地識別子ａ１は、仕向地を識別するための識別子である。製品種別ａ２は、例えば、コンピュータ、ファクシミリ等の製品の種別である。承認種別ａ３は、仕向地識別子ａ１及び製品種別ａ２によって特定される予め定められた承認種別である。本実施形態では、例えば、仕向地が日本の場合、承認種別ａ３の候補としては、「ＰＳＥ」（電気用品安全法で定める技術基準への適合マーク）、「ＪＡＴＥ」（財団法人  電気通信端末機器審査協会）とがある。そして、製品種別ａ２により、「ＰＳＥ」及び「ＪＡＴＥ」の両方が必要な場合、「ＰＳＥ」のみが必要な場合、「ＪＡＴＥ」が必要な場合がある。また、例えば、仕向地が北米の場合には承認種別ａ３は「ＦＣＣ」（Ｆｅｄｅｒａｌ  Ｃｏｍｍｕｎｉｃａｔｉｏｎｓ  Ｃｏｍｍｉｓｓｉｏｎ、連邦通信委員会）であり、仕向地が欧州の場合には承認種別ａ３は「Ｌａｓｅｒ」である。記載事項ａ４は、定格銘板に記載する必要がある定格情報を示す。
【００２３】
定格銘板フォーマットａ５は、定格銘板に印刷する事項のフォーマットについての情報であって、例えば、図６に示すような定格銘板のフォーマット４０を印刷するための情報である。定格銘板のフォーマット４０は、認証番号タイトル４０ａ、定格情報タイトル４０ｂ、機種コードタイトル４０ｃ及び製造機番タイトル４０ｄを有している。定格情報タイトル４０ｂは、記載事項ａ４に対応する。ここでは、記載事項ａ４に対応して、定格情報タイトル４０ｂとして、定格電圧、定格周波数、定格消費電力、定格電流を有している。また、定格銘板のフォーマット４０は、機種名表示４０ｅ、認可マーク表示４０ｆ、認証番号表示４０ｇ、定格情報表示４０ｈ、機種コード表示４０ｉ、ブランド表示５４及びその他表示４０ｊについての位置情報を有している。さらに、定格銘板のフォーマット４０は、製造機番表示４０ｋ及び２次元バーコード表示４０ｌについての位置情報を有している。定格情報表示４０ｈは、記載事項ａ４に対応して表示される定格情報タイトル４０ｂに対応する定格情報に対応する。なお、仕向地仕様データ２２０は、各国で定格銘板に表示すべき承認種別や記載事項に基づいて本実施形態の処理に先立って記憶されている。
【００２４】
図２に示すラベルフォ−マットａ６はその他ラベルに印刷する事項のフォ−マットについての情報であって、例えば図７に示すようなラベルのフォ−マット５０を印刷するための情報である。ラベルのフォーマット５０は、操作方法問い合わせ先タイトル５１ａ、消耗品問い合わせ先タイトル５２ａ、アフターサービス問い合わせ先タイトル５３ａおよび機番タイトル５５を有している。消耗品問い合わせ先タイトル５２ａおよびアフターサービス問い合わせ先タイトル５３ａは、記載事項ａ４に対応する。ここでは、記載事項ａ４に対応して、消耗品問い合わせ先およびアフターサービス問い合わせ先を有している。また、ラベルのフォーマット５０は、操作方法問い合わせ先タイトル５１ａ、操作方法問い合わせ先表示５１ｂ、消耗品問い合わせ先タイトル５２ａ、消耗品問い合わせ先表示５２ｂ、アフターサービス問い合わせ先タイトル５３ａ、アフターサービス問い合わせ先表示５３ｂ、ブランド表示５４、機番タイトル５５および機番タイトル表示５６についての位置情報を有している。なお、機番タイトル表示５６はサービス区が管理する管理番号と製造機番とからなる機番である。
【００２５】
機種データ記憶部２３には、図３に示すように、機種識別子毎に機種データ２３０が記憶されている。本実施形態では、機種データ２３０は、機種識別子ｂ１、製品種別ａ２、承認情報ｂ２、定格情報ｂ３および個別情報種別ｂ４により構成されている。機種識別子ｂ１は、機種を識別するための識別子である。製品種別ａ２は、製品の種別であって、仕向地仕様データ２２０の製品種別ａ２に対応する。承認情報ｂ２は、その機種について承認されている承認種別について設定される。定格情報ｂ３は、その機種の定格情報であって、仕向地仕様データ２２０の記載事項ａ４に対応する項目についての定格情報が設定される。個別情報種別ｂ４とは、例えば図７の機番５６のことである。なお、機種データ２３０は、製品の設計段階や承認の得られたときに記憶される。
【００２６】
製品毎個別情報記憶部２４には図４に示すように機種識別子毎に製品毎個別デ−タ２４０が記憶されている。本実施形態では製品毎個別デ−タ２４０は、機種識別子ｃ１、製品種別ａ２、承認情報ｃ２、製品固有情報ｃ３および製品個別情報ｃ４により構成されている。機種識別子ｃ１は機種を識別するための識別子である。製品種別ａ２は製品の種別であって仕向地仕様デ−タ２２０の製品種別ａ２、機種デ−タ２３０の製品種別ａ２に対応する。
【００２７】
承認情報ｃ２はその製品の販売会社毎に承認されている承認種別ａ３について設定される。例えば、承認種別ａ３は、仕向地識別子ａ１及び製品種別ａ２によって特定される予め定められた承認種別である。本実施形態では、例えば、「アースを接続して下さい」表示、「消耗品問い合わせ先」表示、「アフターサービス問い合わせ先」表示等である。
【００２８】
製品固有情報ｃ３はその製品の固有情報であって仕向地仕様デ−タ２２０の記載事項ａ４、機種デ−タ２３０の個別情報種別ｂ４に対応する項目についての製品固有情報が設定される。この製品固有情報には、例えば、固定名称である販売店名、電話番号、サ−ビスコ−ル先、消耗品連絡先等が設定される。
【００２９】
製品個別情報ｃ４はその製品の納入されるべき地域または顧客の固有情報であって特有の固有情報が設定される。この固有情報ｃ４には例えば、販売店の固有名称、販売店の電話番号、サ−ビスマンコ−ルの電話番号、ネットワ−ク接続用のＩＰアドレス、その他顧客特有の固定資産番号等が設定される。なお、製品毎個別デ−タ２４０は製品の設計段階や承認の得られた時、または製品組み上がり時点での承認の得られたときに記憶される。
【００３０】
次に、上記のように構成されたシステムにおいて、管理コンピュータ２１が出力端末１０を用いて定格銘板またはその他のラベルを製造する場合の処理手順を図５に従って説明する。
【００３１】
図５に示すように、まず、作業者は、定格銘板またはその他のラベルの製造の要求を出力端末１０を用いて行なう。この場合、出力端末１０は、製造要求データをネットワークＮ１を介して管理コンピュータ２１に送信する。この要求を受信した管理コンピュータ２１は、機種識別子ｂ１の入力要求を出力端末１０に送信する。この要求を受信した出力端末１０は、作業者に機種識別子ｂ１の入力を促す。作業者が機種識別子ｂ１を入力した場合、出力端末１０は、その機種識別子ｂ１を管理コンピュータ２１に送信する。管理コンピュータ２１は、この機種識別子ｂ１をネットワークＮ１を介して受信する（Ｓ１−１）。次に、管理コンピュータ２１は、受信した機種識別子ｂ１に基づいて、機種データ記憶部２３から製品種別ａ２を抽出する（Ｓ１−２）。
【００３２】
次に、管理コンピュータ２１は、仕向地識別子ａ１の要求を出力端末１０に送信する。出力端末１０は、この要求に基づいて作業者に対して仕向地識別子ａ１の入力を促す。作業者が仕向地識別子ａ１を入力した場合、出力端末１０は、入力された仕向地識別子ａ１を管理コンピュータ２１に送信する。そして、管理コンピュータ２１は、その仕向地識別子ａ１によりネットワークＮ１を介して仕向地を受信する（Ｓ１−３）。そして、管理コンピュータ２１は、受信した仕向地の仕向地識別子ａ１を用いて、仕向地仕様データ記憶部２２から承認種別ａ３を抽出する（Ｓ１−４）。
【００３３】
次に、管理コンピュータ２１は、作業者による出力端末１０からの定格銘板出力か、その他ラベル出力かの要求を送受信した後、定格銘板出力の要求か、その他ラベル出力の要求かを判定する（Ｓ１−５）。
【００３４】
（Ｓ１−５）において、定格銘板選定の場合、承認種別ａ３についての承認があるかどうかを判定する（Ｓ１−６）。承認情報ｂ２に承認種別ａ３が設定されている場合、管理コンピュ−タ２１は承認ありの場合に承認識別子の抽出を行なう（Ｓ１−７）。ここでは、承認識別子として、承認時に付与された承認番号を用いる。本実施形態では、承認識別子は機種識別子ｂ１及び承認種別ａ３に関連付けられて図示しない記憶部に記憶されている。
【００３５】
管理コンピュ−タ２１は仕向地仕様デ−タ２２０の記載事項ａ４に基いて機種デ−タ２３０の定格情報ｂ３に対応する項目の情報を抽出する（Ｓ１−８）。次に管理コンピュ−タ２１は定格銘板に表示するブランド名の入力要求を出力端末１０に送信する。そして、作業者がブランド名を入力した場合、出力端末１０は、入力されたブランド名を管理コンピュ−タ２１に送信する。そして、管理コンピュータ２１は、そのブランド名をネットワークＮ１を介して受信する（Ｓ１−９）。
【００３６】
次に管理コンピュ−タ２１は仕向地仕様デ−タ２２０、機種デ−タ２３０および入力された情報に基いて、定格銘板のフォ−マットの例示を行なう（Ｓ１−１０）。作業者はその例示でよければ出力要求を管理コンピュ−タ２１に送信し、管理コンピュ−タ２１はその必要枚数に応じて機番の付与を行い（Ｓ１−１１）、出力端末１０に送信する（Ｓ１−１２）。出力端末１０はその定格銘板印刷デ−タに基いて定格銘板の印刷を行なう。
【００３７】
（Ｓ１−５）において、その他のラベルを選択した場合、管理コンピュータ２１は、その承認種別ａ３について、承認の有無を判定する（Ｓ１−１３）。具体的には、管理コンピュータ２１は、機種識別子ｃ１により製品毎個別データ記憶部２４から承認情報ｃ２を抽出し、承認種別ａ３についての承認があるかどうかを判定する。承認情報ｃ２に承認種別ａ３が設定されている場合、管理コンピュータ２１は、その承認種別ａ３について、承認がされていると判断する。そして、管理コンピュータ２１は、承認ありの場合（ステップＳ１−１３でＹＥＳの場合）、承認識別子の抽出を行う（Ｓ１−１４）。ここでは、承認識別子として、仕向地毎、販売会社毎、地域ごとに承認されている承認種別である。本実施形態では、承認識別子は機種識別子ｃ１及び承認種別ａ３に関連付けられて図示しない記憶部に記憶されている。
【００３８】
次に、管理コンピュータ２１は、仕向地仕様データ２２０の記載事項ａ４に基づいて製品毎個別デ−タ２４０の製品固有情報ｃ３から製品毎個別情報ｃ４に対応する項目の情報を抽出する（Ｓ１−１５）。
【００３９】
次に、管理コンピュータ２１は、ラベルに表示する製品固有情報の入力要求を出力端末１０に送信する。そして、作業者が製品固有情報を入力した場合、出力端末１０は、入力された製品固有情報を管理コンピュータ２１に送信する。そして、管理コンピュータ２１は、その製品固有情報をネットワークＮ１を介して受信する。
【００４０】
そして、管理コンピュータ２１は、仕向地仕様データ２２０、製品毎個別デ−タ２４０及び入力された情報に基づいて、ラベルのフォーマットの例示を行う（Ｓ１−１６）。具体的には、管理コンピュータ２１は、仕向地仕様データ２２０のラベルフォーマットａ６に製品種別ａ２に応じた表示等を設定したラベルのフォーマットを生成する。そして、管理コンピュータ２１は、そのラベルのフォーマットを表示するためのラベル表示データを出力端末１０に送信する。ラベル表示データを受信した出力端末１０は、モニタにラベルのフォーマットを表示する。
【００４１】
ここでは、出力端末１０に、図７に示すラベルのフォーマット５０が表示される。この段階のラベルのフォーマット５０には、操作方法問い合わせ先表示５１、消耗品問い合わせ先表示５２、アフターサービス問い合わせ先表示５３に各項目が含まれる。なお、符号５４はブランド表示、符号５５は機番タイトル表示、符号５６はサービス区が管理する管理番号と製造機番とからなる機番である。
【００４２】
操作方法問い合わせ先表示５１は、製品毎個別デ−タ２４０の機種識別子ｃ１に基づいて図示しない記憶部から抽出された操作方法問い合わせ先が設定される。消耗品問い合わせ先表示５２およびアフターサービス問い合わせ先表示５３は、製品毎個別デ−タ２４０の承認情報ｃ２に基づいて抽出された消耗品問い合わせ先およびアフターサービス問い合わせ先がそれぞれ設定される。
【００４３】
作業者は、出力端末１０のモニタの表示を確認し、表示されたラベルのフォーマット５０を用いてラベルを製造する場合、そのラベルの出力要求を出力端末１０から管理コンピュータ２１に送信する。
【００４４】
これに応じて、管理コンピュータ２１は、そのラベルの必要枚数の入力要求を出力端末１０に送信する。この要求を受信した出力端末１０はモニタに必要枚数の入力画面を表示する。そして、作業者が必要枚数を入力した場合、出力端末１０は、その必要枚数を管理コンピュータ２１に送信する。そして、管理コンピュータ２１は、その必要枚数をネットワークＮ１を介して受信する。
【００４５】
次に、管理コンピュータ２１は、製品個別情報ｃ４の付与を行う。このラベルの製品個別情報ｃ４を付与した後、ラベルを製造するためのラベル印刷データを出力端末１０に送信する（Ｓ１−１７）。このラベル印刷データは、モニタに表示したラベルのフォーマットに製品個別情報ｃ４を付与したものである。そして、出力端末１０は、製品個別情報印刷デ−タに基いてラベルの印刷を行なう。この結果、図８に示すように、ラベルのフォーマット５０に各項目が設定されたラベル６０が印刷される。
【００４６】
以上、本実施形態によれば、以下に示す効果を得ることができる。定格銘板およびラベルに表示する、仕向地および製品種別毎に定められた承認種別ａ３、定格銘板およびラベルの記載事項ａ４、並びに定格銘板フォーマットａ５およびラベルフォーマットａ６を記憶する仕向地仕様デ−タ記憶部２２と、機種識別子毎に製品種別ａ２、承認情報ｂ２および定格情報ｂ３を含む機種情報を記憶した機種データ記憶部２３と、機種識別子毎に製品種別ａ２および製品固有情報ｃ３を含む製品毎個別情報を記憶する製品毎個別データ記憶部２４と、これらを制御する管理コンピュータ２１とを用いた、定格銘板およびラベルの製造のためのレイアウト設定方法であって、管理コンピュータ２１が、製造要求を受信し、入力された製品機種識別子に基いてこの製品の製品種別を特定する段階と、入力された前記製品の仕向地および特定された前記製品種別に基いて仕向地仕様デ−タ記憶部２２から承認種別ａ３と定格銘板またはラベルの記載事項とを抽出する段階と、前記承認種別ａ３と定格銘板またはラベルの記載事項とに基いて、前記機種データ記憶部２３から定格情報または前記製品毎個別データ記憶部２４から製品毎個別情報を抽出し、次に前記仕向地仕様情報記憶手段から抽出された定格銘板フォーマットまたはラベルフォーマットを例示し、前記定格銘板フォーマットまたはラベルフォーマットに従う定格銘板またはラベルのレイアウトを設定する段階とを備えたので、または、定格銘板およびラベルに表示する、仕向地および製品種別毎に定められた承認種別ａ３、定格銘板およびラベルの記載事項ａ４、並びに定格銘板フォーマットａ５およびラベルフォーマットａ６を記憶する仕向地仕様デ−タ記憶部２２と、機種識別子毎に製品種別ａ２、承認情報ｂ２および定格情報ｂ３を含む機種情報を記憶した機種データ記憶部２３と、機種識別子毎に製品種別ａ２および製品固有情報ｃ３を含む製品毎個別情報を記憶する製品毎個別データ記憶部２４と、これらを制御する管理コンピュータ２１とを用いた、定格銘板およびラベルのレイアウト設定をするためのプログラムであって、管理コンピュータ２１を、入力された製品機種識別子に基いてこの製品の製品種別を特定する製品種別特定手段、入力された前記製品の仕向地および特定された前記製品種別に基いて仕向地仕様デ−タ記憶部２２から承認種別ａ３と定格銘板またはラベルの記載事項とを抽出する記載事項抽出手段、及び、前記承認種別と定格銘板またはラベルの記載事項とに基いて、前記機種データ記憶部２３から定格情報または前記製品毎個別データ記憶部２４から製品毎個別情報を抽出し、前記仕向地仕様情報記憶手段から抽出された定格銘板フォーマットまたはラベルフォーマットを例示し、前記定格銘板フォーマットまたはラベルフォーマットに従う定格銘板またはラベルのレイアウトを設定するレイアウト設定手段として機能させるので、機種識別子から特定される定格銘板の記載事項のみならず、他のラベルの記載事項を取得できるため、それぞれに入れるべき内容を決定できる。
【００４７】
また、前記レイアウトを設定する段階は、前記抽出した承認種別ａ３と定格銘板またはラベルの記載事項とに基いて、承認の有無と定格銘板またはラベルの記載事項との内容の入力と、製品固有情報の内容の入力とを促し、前記承認の有無と定格銘板またはラベルの記載事項との内容の入力情報と、製品固有情報の内容の入力情報とに基いて定格銘板またはラベルのレイアウトを設定するので、または、前記レイアウト設定手段を、前記抽出した承認種別ａ３と定格銘板またはラベルの記載事項とに基いて、承認の有無と定格銘板またはラベルの記載事項との内容の入力と、製品固有情報の内容の入力とを促し、前記承認の有無と定格銘板またはラベルの記載事項との内容の入力情報と、製品固有情報の内容の入力情報とに基いて定格銘板またはラベルのレイアウトを設定する手段として機能させるので、承認情報に基いて印刷内容が決定されるため、定格銘板およびラベルのレイアウト設定が効率よく行なうことができる。
【００４８】
また、管理コンピュータ２１は、機種識別子毎に承認情報および定格銘板記載情報とラベル記載情報とを含む機種情報を記憶した機種デ−タ記憶部２３に接続され、前記レイアウトを設定する段階は、機種デ−タ記憶部２３と製品毎個別データ記憶部２４とから、前記抽出した承認種別ａ３と定格銘板またはラベル記載事項とに関する機種情報と、製品個別情報とを抽出し、前記機種情報と前記製品個別情報についての抽出情報とに基いて定格銘板またはラベルのレイアウトを設定するので、または、機種識別子毎に承認情報および定格銘板記載情報とラベル記載情報とを含む機種情報を記憶した機種デ−タ記憶部２３に接続された管理コンピュータ２１を、機種デ−タ記憶部２３と製品毎個別データ記憶部２４とから、前記抽出した承認種別ａ３と定格銘板またはラベル記載事項とに関する機種情報と、製品個別情報とを抽出し、前記機種情報と前記製品個別情報についての抽出情報とに基いて定格銘板またはラベルのレイアウトを設定するレイアウト設定手段として機能させるので、定格銘板およびラベルの製造要求を行う前までに承認が取れていれば、その承認情報に基いた情報が付与できるため、製品の完成時における承認された内容の表示が行なえる。
【００４９】
また、情報の入力および定格銘板およびラベルの記載事項の制御をする管理コンピュータ２１を用いているので、制御プログラムは上記一連の作業が出力端末での入力のみで後は自動で表示内容が決定されるため、作業者は必要な承認種別ａ３や記載事項を漏れなく入力できる。
【００５０】
また、前記定格銘板とその他のラベルとの情報を独立に取り出し、それぞれの情報に基いてそれぞれのレイアウトを設定するので、定格銘板とその他のラベル印刷が一つのシステムでできるため、効率的な印刷ができる。
【００５１】
また、製品毎個別データ記憶部２４は、定格銘板またはラベルに記載する情報を製品１台毎に設定するので、定格銘板またはラベルを最小単位１枚からでも印刷ができるため、製品１台毎に所定の情報が付与でき、例えば顧客１件へのカスタマイズが可能となる。
【００５２】
なお、上記実施形態は、以下の態様に変更してもよい。上記の実施形態では、定格銘板またはラベルの製造要求を行うまでに、作業者により予め入力された機種データ２３０または製品毎個別デ−タ２４０を用いた。これに代えて、定格銘板またはラベルの製造要求の際に、承認の有無や定格情報または製品固有情報について作業者に各項目毎に入力を促してもよい。例えば、定格銘板またはラベルの製造要求が行われた際に、管理コンピュータ２１が、承認の有無や定格情報または製品固有情報についての入力画面を出力端末１０のモニタに表示させ、作業者が出力端末１０からこれらの情報を入力してもよい。これにより、作業者は定格銘板またはラベルに必要な承認種別や記載事項を漏れなく入力することができる。
【００５３】
上記の実施形態では、製造した定格銘板およびラベルを別ラインで製造した製品に作業者が貼付した。これに代えて、定格銘板およびラベルの製造を製品の製造と同一のラインで行ってもよい。また、製造した定格銘板およびラベルの製品への貼付を自動化してもよい。このようにすることで、定格銘板およびラベルの製造と製品の貼付とを効率化することができる。
【００５４】
上記の実施形態では、仕向地仕様データ２２０の定格銘板フォーマットａ５またはラベルフォーマットａ６により予め定格銘板またはラベルのフォーマットを決定しており、承認の有無にかかわらず、同一のフォーマットで定格銘板またはラベルを製造した。これに代えて、承認の有無に従ってフォーマットを変更してもよい。例えば、承認種別ａ３についての承認がとれていない場合、印刷する文字や図の大きさや間隔を調整して印刷してもよい。
【００５５】
上記の実施形態では、定格銘板およびラベルの製造システム２０に記憶部２２〜２４を設定したが、各記憶部２２〜２４は、分けて別の場所に設定してもよい。また、記憶部２２〜２４を設定した専用機により同様の処理を行ってもよい。なお、本発明は上記実施形態に限定されるものではない。即ち、本発明の骨子を逸脱しない範囲で種々変形して実施することができる。
【図面の簡単な説明】
【００５６】
【図１】本発明に係る一実施形態の定格銘板およびラベルの製造システムの概略図である。
【図２】図１のシステムに備える仕向地仕様データ記憶部に記憶されたデータの説明図である。
【図３】図１のシステムに備える機種データ記憶部に記憶されたデータの説明図である。
【図４】図１のシステムに備える製品毎個別情報仕向地仕様データ記憶部に記憶されたデータの説明図である。
【図５】本発明に係る一実施形態の処理手順の説明図である。
【図６】定格銘板に印刷する情報を説明するための説明図である。
【図７】ラベルに印刷する情報を説明するための説明図である。
【図８】ラベルを説明するための説明図である。
【符号の説明】
【００５７】
１０    出力端末
１５    データベース
２０    定格銘板およびラベルの製造システム
２１    管理コンピュ−タ
２２    仕向地仕様デ−タ記憶部（仕向地仕様記憶手段）
２３    機種デ−タ記憶部（機種情報記憶手段）
２４    製品毎個別データ記憶部（製品毎個別情報記憶手段）
４０    定格銘板のフォ−マット
５０    ラベルのフォ−マット
２２０    仕向地仕様デ−タ
２３０    機種デ−タ
２４０    製品毎個別デ−タ
【図１】
0004615872.tif 000002
【図２】
0004615872.tif 000003
【図３】
0004615872.tif 000004
【図４】
0004615872.tif 000005
【図５】
0004615872.tif 000006
【図６】
0004615872.tif 000007
【図７】
0004615872.tif 000008
【図８】
0004615872.tif 000009